(57)【要約】【課題】ＣＳＦＢに対応した通信システムにおいて、無駄な信号のやりとりをすることなく、特定のＣＳサービスによるＣＳ着信の拒否を可能とする通信システム、移動機、着信制御方法を提供する。【解決手段】移動機１０の着信可否判定部１１１は、ＣＳ着信があった時にＮＷから受信したページング信号に含まれるＣＳの通信サービス種別に基づいてＣＳ着信の可否を判定する。着信可と判定された場合、ＣＳＦＢ処理部１１２は、着信許容を示すＭＴ−ＴＡメッセージを送信し、ＬＴＥ−ＰＳ１３にService Request（ＣＳＦＢ）をＮＷに向けて送信させる。着信不可と判定された場合、着信拒否部１１３は着信拒否を示すＭＴ−ＴＡメッセージを送信し、ＬＴＥ−ＰＳ１３にPagingに対するRejectメッセージをＮＷに向けて送信させる。【選択図】図３
2010154079.tif 000002
【特許請求の範囲】
【請求項１】
回線交換フォールバックに対応した通信システムにおいて、
回線交換呼の着信があった場合に、該回線交換呼の通信サービス種別を含むページング信号を送信するノード装置と、
前記ノード装置から送信されたページング信号に含まれる通信サービス種別に基づいて、前記回線交換呼の着信先となる移動機への着信可否を判定する着信可否判定手段と、
前記着信可否判定手段により着信可と判定された場合に回線交換フォールバック処理を行う回線交換フォールバック手段と、
前記着信可否判定手段により着信不可と判定された場合には前記回線交換フォールバック処理を実行せずに前記回線交換呼の着信を拒否する着信拒否手段と
を備えたことを特徴とする通信システム。
【請求項２】
前記ノード装置は、前記回線交換呼の発信元を識別するための発信者番号をさらに含むページング信号を送信することにより、前記着信先となる移動機のユーザに前記発信者番号を提示可能とすることを特徴とする請求項１に記載の通信システム。
【請求項３】
回線交換フォールバックに対応した通信ネットワークを介して通信を行う移動機において、
回線交換呼の着信があった時に前記通信ネットワークから受信したページング信号に含まれる前記回線交換呼の通信サービス種別に基づいて、前記回線交換呼の着信可否を判定する着信可否判定手段と、
前記着信可否判定手段により着信可と判定された場合に、回線交換フォールバック処理を要求するための信号を前記通信ネットワークに送信する回線交換フォールバック手段と、
前記着信可否判定手段により着信不可と判定された場合に、前記回線交換フォールバック処理を行うことなく前記回線交換呼の着信を拒否するための信号を前記通信ネットワークに送信する着信拒否手段と
を備えたことを特徴とする移動機。
【請求項４】
回線交換フォールバックに対応した通信システムが実行する着信制御方法において、
回線交換呼の着信があった場合に、着信先となる移動機を呼び出すノード装置が、前記回線交換呼の通信サービス種別を含むページング信号を送信するページング信号送信ステップと、
前記ページング信号送信ステップにおいて送信されたページング信号に含まれる通信サービス種別に基づいて、前記回線交換呼の着信可否を判定する着信可否判定ステップと、
前記着信可否判定ステップにおいて着信可と判定された場合には、回線交換フォールバック処理を行う回線交換フォールバックステップと、
前記着信可否判定ステップにおいて着信不可と判定された場合には、前記回線交換フォールバック処理を行うことなく前記回線交換呼の着信を拒否する着信拒否ステップと
を備えたことを特徴とする着信制御方法。
【請求項５】
回線交換フォールバックに対応した通信ネットワークを介して通信を行う移動機が実行する着信制御方法において、
回線交換呼の着信があった時に前記通信ネットワークから受信したページング信号に含まれる前記回線交換呼の通信サービス種別に基づいて、前記回線交換呼の着信可否を判定する着信可否判定ステップと、
前記着信可否判定ステップにおいて着信可と判定された場合に、回線交換フォールバック処理を要求するための信号を送信する回線交換フォールバックステップと、
前記着信可否判定手段により着信不可と判定された場合に、前記回線交換フォールバック処理を行うことなく前記回線交換呼の着信を拒否するための信号を送信する着信拒否ステップと
を備えたことを特徴とする着信制御方法。
【発明の詳細な説明】
【技術分野】
【０００１】
本発明は、ＬＴＥ（Long Term Evolution）におけるＣＳ（Circuit Switched）呼の着信制御を行う通信システム、移動機、着信制御方法に関するものである。
【背景技術】
【０００２】
近年の移動通信ネットワークにおいては、様々な種類の通信ネットワークを介して様々な種類の通信サービスが提供されている。例えば、回線交換網を介して音声通話、テレビ電話通信、ＳＭＳ（Short Message Service）等が提供され、パケット交換網を介してインターネットサービス、電子メールサービス等が提供されている。
【０００３】
パケット交換網と回線交換網との両方の通信網を連携させた通信サービス提供の技術としては、例えば特許文献１に記載のものがある。特許文献１では、パケット通信中の移動機が回線交換網を利用できるように、サーバからの発呼により回線交換網における通信回線を確立する。しかしながら、当該回線交換網における通信回線を介して提供されるサービスが音声通話であるにもかかわらず、移動機が音声着信を受け付けることができない公共モードに設定されていたり音声通話をサポートしていない端末であったりする場合には、通信回線の確立は無駄になる。また、移動機への着信ができない場合に、当該移動機に対して発信側の電話番号や通信サービスの種類を含む着信通知を行う技術も存在し（例えば、特許文献２参照）、これにより、着信者は特定の相手から特定の種類のサービスによる着信があったことを知ることができる。
【０００４】
さらに、近年では、ＬＴＥ（Long Term Evolution）による通信サービスの提供が検討されているが、上記と同様の問題点があると考えられる。以下、その問題点について詳述する。ＬＴＥとは、３ＧＰＰ（3rd Generation Partnership Project）にて標準化が進められている次世代の通信規格であり、現在移動機の通信規格として広く使われているＵＭＴＳ（Universal Mobile Telecommunications System）と同じ周波数帯でデータ通信速度の高速化を実現することが可能である。ＬＴＥはＰＳ（Packet Switched：パケット交換）呼のみをサポートするため、ＬＴＥの通信ネットワークにおいてＣＳ（Circuit Switched：回線交換）呼を利用することができない。そこで、ＬＴＥの通信ネットワークにおいてＣＳ呼を利用可能とするために、ＣＳＦＢ（Circuit Switched Fall Back）という技術が３ＧＰＰで標準化されている（例えば、非特許文献１参照）。本技術は、ＬＴＥの通信ネットワークに在圏中の移動機がＣＳ呼の発着信を行う際に、ＵＭＴＳやＧＳＭ（Global System for Mobile communications）、ｃｄｍａ１ｘ（Code Division Multiple Access 1x）といったＣＳ呼をサポートする既存のＲＡＴ（Radio Access Technology）に遷移して、発着信を行うというものである。以下、ＣＳ呼をサポートする既存のＲＡＴを総称して「Legacy ＲＡＴ」ともいう。
【０００５】
図５は、上記標準仕様に従ったＬＴＥの通信ネットワークにおいてＣＳ呼の着信を拒否する場合の手順を示すシーケンス図である。ここで、Legacy  ＲＡＴは、ＵＭＴＳ又はＧＳＭであるものとする。
同図に示すＭＳＣ（Mobile Switching Centre）５０と、ＲＮＳ／ＢＳＳ（Radio Network Subsystem／Base Station Subsystem）４０と、ＭＭＥ(Mobility Management Entity）３０と、ｅＮＢ（Evolved Node B）２０とは、通信ネットワーク（以下「ＮＷ」という）を構成するノードである。
【０００６】
ＭＳＣ５０とＲＮＳ／ＢＳＳ４０とは、Legacy  ＲＡＴの通信ネットワーク（以下「Legacy ＮＷ」という）を構成するノードであり、ＭＭＥ３０とｅＮＢ２０とは、ＬＴＥのネットワーク（以下「ＬＴＥ  ＮＷ」という）を構成するノードである。
ＭＳＣ５０は、Legacy  ＮＷにおける移動機１００の在圏場所等を管理し、移動機１００の移動管理を制御するノードである。ＭＭＥ３０は、ＬＴＥ  ＮＷにおける移動機１００の在圏場所等を管理し、移動機１００の移動管理を制御するノードである。呼の着信があった場合は、ＭＳＣ５０又はＭＭＥ３０から着信先の移動機１００を呼び出すためのページング信号（以下「Paging」ともいう）が送出される。また、ＲＮＳ／ＢＳＳ４０はLegacy  ＮＷの無線ネットワーク制御局であり、ｅＮＢ２０はＬＴＥ  ＮＷの無線ネットワーク制御局である。ＮＷを構成するこれらのノードは各々複数存在するが、図５においては各ノードを１つずつ示している。
【０００７】
ＡＰＬ（Application）１１０は、移動機１００が備える図示せぬＣＰＵ（Central Processing Unit）が、移動機１００が備える図示せぬ不揮発性メモリに記憶されているアプリケーションソフトウェアに従って処理を実行することにより実現されるアプリケーション機能を示す。Legacy−ＰＳ（Protocol Stack）１２は、同様にＣＰＵが通信ソフトウェアであるプロトコルスタックに従って処理を実行することにより実現される機能であり、Legacy  ＮＷとの制御信号のやりとりを制御する。また、ＬＴＥ−ＰＳ１３は、同様にＣＰＵが通信ソフトウェアであるプロトコルスタックに従って処理を実行することにより実現される機能であり、ＬＴＥ  ＮＷとの制御信号のやりとりを制御する。
【０００８】
ＭＳＣ５０にＣＳ呼の着信（以下「ＣＳ着信」ともいう）があると、ＭＳＣ５０は、配下にある全てのＲＮＳ／ＢＳＳ４０に、着信ドメインがＣＳであることを示すCS domain indicatorを含むページング信号（以下、「Paging（ＣＳ）」という）を送信し、呼び出しをかけると共に（図５のステップＳ２０１）、隣接するＭＭＥ３０にもPaging（ＣＳ）を渡す（ステップＳ２０２）。ＭＭＥ３０は、配下にある全てのｅＮＢ２０にPaging（ＣＳ）を送信し、呼び出しをかける（ステップＳ２０３）。
【０００９】
移動機１００のＬＴＥ−ＰＳ１３は、Paging（ＣＳ）をＮＷから受信し（ステップＳ２０４）、自分宛に呼び出しがかかっていると判断すると、ＣＳＦＢ Indicatorを含むService Requestというメッセージ（Service Request（ＣＳＦＢ））をＮＷに送信することにより、ＣＳＦＢを行う旨をＮＷに伝える（ステップＳ２０５）。
これにより、ＣＳＦＢ処理が行われる（ステップＳ２０６）。具体的には、移動機１００は、ＮＷとの間で制御信号を授受することにより、Legacy ＲＡＴへのハンドオーバ又はセルチェンジなどを行い、移動機１００が在圏するＲＡＴをLegacy ＲＡＴに遷移させる。なお、在圏ＲＡＴの遷移方法は３ＧＰＰで標準化されている方法であればどのような方法であってもよい。ＲＡＴの遷移が完了すると、Legacy−ＰＳ１２はＭＳＣ５０へPaging Responseを返す（ステップＳ２０７）。
【００１０】
ＭＳＣ５０がPaging Responseを受けると、ＳＥＴＵＰという着信通知メッセージを移動機１００へ送信する（ステップＳ２０８）。ＳＥＴＵＰには発信者番号が含まれる。
移動機１００のＡＰＬ１１０はＣＳ着信の可否を判定する（ステップＳ２０９）。ここで、移動機１００が例えば公共モード等の特定のサービスのＣＳ呼を利用しない設定にされている、ユビキタスモジュール（登録商標）等の特定のサービスのＣＳ呼が利用できない端末である、あるいは発信者の電話番号を着信拒否するよう登録されているために、当該ＣＳ着信を受け付けることができないとＡＰＬ１１０が判断すると、Pagingに対するRejectメッセージを送信して、着信を拒否する（ステップＳ２１０）。なお、着信が許容される場合には、Pagingに対するRejectメッセージの代わりに、CALL COMFIRMEDが送信される。
【００１１】
そして、移動機１００のＡＰＬ１１０は、ステップＳ２０８において受信したＳＥＴＵＰに含まれる発信者番号を、不揮発性メモリに記憶されている着信履歴に追加する（ステップＳ２１１）。
ステップＳ２１０においてPagingに対するRejectメッセージが送信されることで着信拒否が完了するが、ステップＳ２０４における移動機１００のページング信号受信からステップＳ２１０におけるPagingに対するRejectメッセージ送信までに、移動機１００とＮＷとの間で多くの制御信号のやりとりが行われていることがわかる。
【特許文献１】特開２００６−８０６９３号公報
【特許文献２】特開２００８−２１９４０２号公報
【非特許文献１】３ＧＰＰ  ＴＳ２３．２７２  Ｖ８．１．０（２００８−０９）  “７  Ｍｏｂｉｌｅ  Ｔｅｒｍｉｎａｔｉｎｇ  Ｃａｌｌ”
【発明の開示】
【発明が解決しようとする課題】
【００１２】
以上のように、移動機１００が特定のサービスのＣＳ呼を利用できない設定にされている、あるいは、特定のサービスのＣＳ呼をサポートしていない場合に、当該移動機１００を着信先とした特定のサービスのＣＳ着信があると、従来の標準仕様では、ＣＳＦＢ処理によりLegacy ＲＡＴに切り替わった後にＣＳ着信が拒否されるため、ＮＷと移動機１００との間に無駄な制御信号のやりとりが発生する。これにより、以下のような問題が発生することが懸念される。
【００１３】
（１）無線リソースの浪費
（２）移動機１００のパケット通信中に着信があった場合、ＣＳＦＢ処理中はパケット通信が中断されてしまうため、パケットの品質を落としてしまう。また、ＣＳＦＢ処理後はＬＴＥからLegacy ＲＡＴへ遷移する為、パケット通信速度が落ちてしまうことが懸念される。
（３）着信が連続的にあった場合、移動機１００の電池消耗を早める。
【００１４】
本発明は、上記の従来技術の問題点を解決するためになされたものであり、ＣＳＦＢに対応した通信システムにおいて、無駄な信号のやりとりをすることなく、特定のＣＳサービスによるＣＳ着信を拒否することを可能とする通信システム、移動機、着信制御方法を提供することを目的とする。
また、無駄な信号のやりとりを減らしつつも、着信側の移動機への発信者番号の通知機能を保持することを可能とする通信システム、移動機、着信制御方法を提供することを目的とする。
【課題を解決するための手段】
【００１５】
上記課題を解決するために、請求項１に記載の通信システムは、回線交換フォールバックに対応した通信システムにおいて、回線交換呼の着信があった場合に、該回線交換呼の通信サービス種別を含むページング信号を送信するノード装置と、前記ノード装置から送信されたページング信号に含まれる通信サービス種別に基づいて、前記回線交換呼の着信先となる移動機への着信可否を判定する着信可否判定手段と、前記着信可否判定手段により着信可と判定された場合に回線交換フォールバック処理を行う回線交換フォールバック手段と、前記着信可否判定手段により着信不可と判定された場合には前記回線交換フォールバック処理を実行せずに前記回線交換呼の着信を拒否する着信拒否手段とを備えたことを特徴とする。
【００１６】
本発明によれば、ページング信号に含まれる通信サービス種別により着信先となる移動機への回線交換呼の着信可否を判定し、着信可と判定された場合にのみ回線交換フォールバック処理を行い、着信不可と判定された場合には回線交換フォールバック処理を行わずに回線交換呼の着信を拒否するため、回線交換呼の着信を拒否する場合には、回線交換フォールバック処理のための信号のやりとりを行う必要がなくなる。したがって、無駄な信号のやりとりをすることなく、回線交換呼の着信を拒否することが可能となる。
【００１７】
請求項２に記載の通信システムは、請求項１において、前記ノード装置は、前記回線交換呼の発信元を識別するための発信者番号をさらに含むページング信号を送信することにより、前記着信先となる移動機のユーザに前記発信者番号を提示可能とすることを特徴とする。
本発明によれば、ページング信号に発信者番号を含めることで、信号のやりとりを省いて着信を拒否したとしても、発信者番号を移動機に送信することができ、着信先となる移動機のユーザに発信者番号を提示することが可能となる。
【００１８】
請求項３に記載の移動機は、回線交換フォールバックに対応した通信ネットワークを介して通信を行う移動機において、回線交換呼の着信があった時に前記通信ネットワークから受信したページング信号に含まれる前記回線交換呼の通信サービス種別に基づいて、前記回線交換呼の着信可否を判定する着信可否判定手段と、前記着信可否判定手段により着信可と判定された場合に、回線交換フォールバック処理を要求するための信号を前記通信ネットワークに送信する回線交換フォールバック手段と、前記着信可否判定手段により着信不可と判定された場合に、前記回線交換フォールバック処理を行うことなく前記回線交換呼の着信を拒否するための信号を前記通信ネットワークに送信する着信拒否手段とを備えたことを特徴とする。
【００１９】
本発明によれば、移動機は、受信したページング信号に含まれる通信サービス種別により回線交換呼の着信可否を判定し、回線交換呼の着信が可と判定した場合に回線交換フォールバック処理を要求する信号を通信ネットワークに送信し、着信不可と判定した場合には回線交換フォールバック処理を行うことなく回線交換呼の着信を拒否する信号を通信ネットワークに送信するため、回線交換呼の着信を拒否する場合には、回線交換フォールバック処理のための信号のやりとりを行う必要がなくなる。したがって、無駄な信号のやりとりをすることなく、回線交換呼の着信を拒否することが可能となる。
【００２０】
請求項４に記載の着信制御方法は、回線交換フォールバックに対応した通信システムが実行する着信制御方法において、回線交換呼の着信があった場合に、着信先となる移動機を呼び出すノード装置が、前記回線交換呼の通信サービス種別を含むページング信号を送信するページング信号送信ステップと、前記ページング信号送信ステップにおいて送信されたページング信号に含まれる通信サービス種別に基づいて、前記回線交換呼の着信可否を判定する着信可否判定ステップと、前記着信可否判定ステップにおいて着信可と判定された場合には、回線交換フォールバック処理を行う回線交換フォールバックステップと、前記着信可否判定ステップにおいて着信不可と判定された場合には、前記回線交換フォールバック処理を行うことなく前記回線交換呼の着信を拒否する着信拒否ステップとを備えたことを特徴とする。
【００２１】
本発明によれば、ページング信号に含まれる通信サービス種別により着信先となる移動機への回線交換呼の着信可否を判定し、着信可と判定された場合にのみ回線交換フォールバック処理を行い、着信不可と判定された場合には回線交換フォールバック処理を行わずに回線交換呼の着信を拒否するため、回線交換呼の着信を拒否する場合には、回線交換フォールバック処理のための信号のやりとりを行う必要がなくなる。したがって、無駄な信号のやりとりをすることなく、回線交換呼の着信を拒否することが可能となる。
【００２２】
請求項５に記載の着信制御方法は、回線交換フォールバックに対応した通信ネットワークを介して通信を行う移動機が実行する着信制御方法において、回線交換呼の着信があった時に前記通信ネットワークから受信したページング信号に含まれる前記回線交換呼の通信サービス種別に基づいて、前記回線交換呼の着信可否を判定する着信可否判定ステップと、前記着信可否判定ステップにおいて着信可と判定された場合に、回線交換フォールバック処理を要求するための信号を送信する回線交換フォールバックステップと、前記着信可否判定手段により着信不可と判定された場合に、前記回線交換フォールバック処理を行うことなく前記回線交換呼の着信を拒否するための信号を送信する着信拒否ステップとを備えたことを特徴とする。
【００２３】
本発明によれば、移動機は、受信したページング信号に含まれる通信サービス種別により回線交換呼の着信可否を判定し、回線交換呼の着信が可と判定した場合に回線交換フォールバック処理を要求する信号を通信ネットワークに送信し、着信不可と判定した場合には回線交換フォールバック処理を行うことなく回線交換呼の着信を拒否する信号を通信ネットワークに送信するため、回線交換呼の着信を拒否する場合には、回線交換フォールバック処理のための信号のやりとりを行う必要がなくなる。したがって、無駄な信号のやりとりをすることなく、回線交換呼の着信を拒否することが可能となる。
【発明の効果】
【００２４】
本発明によれば、ページング信号に含まれる通信サービス種別により着信先となる移動機への回線交換呼の着信可否を判定し、着信可と判定された場合にのみ回線交換フォールバック処理を行い、着信不可と判定された場合には回線交換フォールバック処理を行わずに回線交換呼の着信を拒否するため、回線交換呼の着信を拒否する場合には、回線交換フォールバック処理のための信号のやりとりを行う必要がなくなる。したがって、無駄な信号のやりとりをすることなく、回線交換呼の着信を拒否することが可能となる。
【発明を実施するための最良の形態】
【００２５】
以下、本発明の実施形態を、図面を参照して説明する。なお、以下の説明において参照する各図では、他の図と同等の構成要素は同一符号によって示されている。
（システム全体の構成）
図１は、本発明の実施形態に係る通信システムの全体構成を示す図である。同図に示すように、本実施形態に係る通信システムは、移動機１０と、ＬＴＥ  ＮＷを構成するｅＮＢ２０及びＭＭＥ３０と、Legacy  ＮＷを構成するＲＮＳ／ＢＳＳ４０及びＭＳＣ５０と、を含んで構成される。Legacy  ＲＡＴは、ＵＭＴＳ又はＧＳＭであるものとする。ｅＮＢ２０、ＭＭＥ３０、ＲＮＳ／ＢＳＳ４０は従来と同様の機能を有するノードである。すなわち、ＭＭＥ３０は、ＬＴＥ  ＮＷにおける移動機１０の移動管理を制御するノードであり、ＲＮＳ／ＢＳＳ４０はLegacy  ＮＷにおける無線ネットワーク制御局であり、ｅＮＢ２０はＬＴＥ  ＮＷにおける無線ネットワーク制御局である。
【００２６】
ＭＳＣ５０は、Legacy  ＮＷにおける移動機１０の移動管理を制御するノードである。ＭＳＣ５０は、ＣＰＵ、記憶装置、通信インターフェース等を備えている。ＭＳＣ５０は、ＣＳ着信を受けると、従来のCS domain indicatorや着信先の識別番号に加えて、ＣＳの通信サービス種別と、発信者番号と、を含むページング信号を生成し、当該生成したページング信号を送信して着信先の移動機１０を呼び出す。
【００２７】
ここで、ＣＳの通信サービス種別には、ＡＭＲ（Adaptive Multi-Rate：音声のコーデック）、ＡＶ（Audio/Visual：テレビ電話をはじめとした音声と映像のサービス）、ＬＣＳ（LoCation Service：位置情報サービス）、ＳＭＳ（Short Message Service：ショートメッセージサービス）等が存在する。
発信者番号は、ＩＭＳＩ（International Mobile Subscriber Identity：加入者識別子）であるが、発信者を識別できる番号であればよく、ＭＳＩＳＤＮ（Mobile Station ISDN number definition：電話番号）であってもよい。
【００２８】
（移動機の構成）
移動機１０は、ＬＴＥ  ＮＷを介した通信及びＣＳＦＢをサポートする端末であり、図示せぬＣＰＵ（Central Processing Unit）、移動機１０の各種通信機能やアプリケーション機能を実現するためのソフトウェアが記憶された不揮発性メモリ、無線アンテナ、液晶ディスプレイ、操作キー、スピーカ、マイクロホン等、一般的な移動機が備えるハードウェア構成を備えている。
【００２９】
また、移動機１０は、特定のＣＳのサービスを利用不可の状態に設定することが可能な端末である。例えば、ユーザが運転中や電車乗車中に移動機１０を公共モードに設定した場合には、移動機１０はＡＭＲサービスが利用不可となり、音声着信を受け付けることができなくなる。
なお、移動機１０は、設定により特定のＣＳサービスを利用不可とすることができる端末である他に、機種が対応していない、サービス契約に加入していない等により、特定のＣＳのサービスをサポートしていない端末であってもよい。
【００３０】
次に、移動機１０の機能構成について説明する。図２は、移動機１０の機能構成を示すブロック図である。同図に示すように、移動機１０は、ＡＰＬ１１と、Legacy−ＰＳ１２と、ＬＴＥ−ＰＳ１３とを含んで構成される。
ＡＰＬ１１は、移動機１０が備える図示せぬＣＰＵが不揮発性メモリに記憶されているアプリケーションソフトウェアに従って処理を実行することにより実現されるアプリケーション機能を示す。
【００３１】
Legacy−ＰＳ１２は、同様にＣＰＵが不揮発性メモリに記憶されている通信ソフトウェアであるプロトコルスタックに従って処理を実行することにより実現される機能であり、Legacy  ＮＷとの制御信号のやりとりを制御する。
ＬＴＥ−ＰＳ１３は、同様にＣＰＵが不揮発性メモリに記憶されている通信ソフトウェアであるプロトコルスタックに従って処理を実行することにより実現される機能であり、ＬＴＥ  ＮＷとの制御信号のやりとりを制御する。
【００３２】
次に、ＡＰＬ１１の機能構成について詳細に説明する。図２に示すように、ＡＰＬ１１は、着信可否判定部１１１と、ＣＳＦＢ処理部１１２と、着信拒否部１１３と、発信者番号表示部１１４とを備えている。
着信可否判定部１１１は、発信端末からのＣＳ着信により、ＭＳＣ５０からページング信号を受信した場合に、当該ページング信号に含まれるＣＳの通信サービス種別に基づいて、ＣＳ着信の可否を判定する。具体的には、着信可否判定部１１１は、ユーザの設定入力等により不揮発性メモリに記憶されている設定情報や管理情報を参照して、当該通信サービス種別で示されるサービスが、現在拒否設定がされているサービスかどうか、又は移動機１０でサポートしているサービスかどうかを判断し、拒否設定されている又はサポートしていないサービスであれば、着信不可と判定する。
【００３３】
ＣＳＦＢ処理部１１２は、着信可否判定部１１１がＣＳ着信可と判定した場合に、着信許容を示すＭＴ−ＴＡ（Mobile Termination-Terminal Adaptation Interface；アプリケーションとプロトコルスタック間でやりとりされるメッセージのインターフェース）メッセージをＬＴＥ−ＰＳ１３に送信し、ＬＴＥ−ＰＳ１３にＣＳＦＢ処理を要求するための信号をＮＷに向けて送信させる。これにより、移動機１０とＮＷとの間でＣＳＦＢ処理のための信号のやりとりが行われ、移動機１０はハンドオーバ又はセルチェンジによりＣＳをサポートするLegacy  ＲＡＴに遷移し、ＣＳ着信を可能とする。
【００３４】
着信拒否部１１３は、着信可否判定部１１１がＣＳ着信不可と判定した場合に、着信拒否を示すＭＴ−ＴＡメッセージをＬＴＥ−ＰＳ１３に送信し、ＬＴＥ−ＰＳ１３にPagingに対するRejectメッセージをＮＷに向けて送信させることにより、着信拒否を行う。
発信者番号提示部１１４は、ＣＳ呼の着信を拒否する場合に、ＭＳＣ５０から受信したページング信号に含まれる発信者番号を、移動機１０のユーザに提示する。提示方法としては、ページング信号を受信した時点で、ページング信号に含まれる発信者番号を液晶ディスプレイに表示する、あるいは、当該発信者番号や着信時刻等を含む情報を着信履歴として不揮発性メモリに記憶することにより、移動機１０のユーザが着信履歴を照会する操作をした時に発信者番号を液晶ディスプレイに表示する。あるいは、発信者番号を通知するための音声を、スピーカから出力することも考えられる。
【００３５】
（着信拒否のシーケンス）
次に、図３に示すシーケンス図を参照して、移動機１０が利用することができない特定のＣＳサービスによるＣＳ着信があったときに、通信システムにおいて行われる着信制御の手順について説明する。
ＭＳＣ５０は、着信先を移動機１０としたＣＳ呼の着信を受けると、従来においてページング信号に含めていたCS domain indicatorに加えて、ＣＳの通信サービス種別と、発信者番号と、を含むページング信号（図３中の「Paging（ＣＳ、ＣＳの通信サービス種別、発信者番号）」）を生成する。そして、ＭＳＣ５０は、当該生成したページング信号を、従来と同様に、配下にある全てのＲＮＳ／ＢＳＳ４０に送信して移動機１０の呼び出しをかけると共に、隣接するＭＭＥ３０にもページング信号を渡す。ＭＭＥ３０は、配下にある全てのｅＮＢ２０に当該ページング信号を送信して、移動機１０の呼び出しをかける（ステップＳ１０１）。
【００３６】
移動機１０のＬＴＥ−ＰＳ１３は、ＮＷからページング信号を受信すると、自機１０宛に呼び出しがかかっていると判断する。これにより、ＬＴＥ−ＰＳ１３は、自機１０宛のページング信号を受信した旨とＣＳの通信サービス種別とを、ＭＴ−ＴＡメッセージでＡＰＬ１１に伝える。（ステップＳ１０２）。
ＡＰＬ１１の着信可否判定部１１１は、ＣＳの通信サービス種別で示される特定のサービスが移動機１０で利用できるサービスかどうかを判断する（ステップＳ１０３）。ここでは、移動機１０で利用できないサービスであるため、着信可否判定部１１１は着信不可と判断し、ＡＰＬ１１の着信拒否部１１３は、着信拒否を示すＭＴ−ＴＡメッセージをＬＴＥ−ＰＳ１３へ返す（ステップＳ１０４）。
【００３７】
ＬＴＥ−ＰＳ１３は、着信拒否を示すＭＴ−ＴＡメッセージを受けると、ＣＳ呼を解放してＣＳ着信を拒否するために、Pagingに対するRejectメッセージをＮＷに返す（ステップＳ１０５）。
また、ＡＰＬ１１の発信者番号提示部１１４は、受信したページング信号に含まれていた発信者番号を、不揮発性メモリに記憶されている着信履歴に追加する（ステップＳ１０６）。
【００３８】
以上のような手順で着信拒否を行うことにより、図５に示す従来のシーケンスにおいて、ステップＳ２０５のService Request（ＣＳＦＢ）送信からステップＳ２０８のＳＥＴＵＰ送信までのシーケンスを省くことができる。また、従来においては、発信者番号はページング信号ではなくＳＥＴＵＰに含まれていたため、移動機１０がＳＥＴＵＰを受信せずにページング信号を受信した時点で着信拒否をしてしまうと、発信者番号を着信履歴に残すことができない。これを防ぐために、上記手順においては、ページング信号の中に発信者番号を含めて呼び出しを行っているため、発信者番号を着信履歴に残すことが可能となる。
【００３９】
（着信可のシーケンス）
次に、図４に示すシーケンス図を参照して、移動機１０が利用することができるＣＳサービスによるＣＳ着信があったときに、通信システムにおいて行われる着信制御の手順について説明する。
図４に示すステップＳ１０１及びステップＳ１０２における動作は、図３に示すステップＳ１０１及びステップＳ１０２における動作と同様である。
ステップＳ１０３においては、ＡＰＬ１１の着信可否判定部１１１は、ＭＴ−ＴＡメッセージに含まれるＣＳの通信サービス種別に基づいて、当該種別の通信サービスが移動機１０で利用できるサービスかどうかを判断する（ステップＳ１０３）。ここでは、移動機１０で利用できるサービスであるため、着信可否判定部１１１は、着信可と判断する。これにより、ＣＳＦＢ処理部１１２は、着信許容を示すＭＴ−ＴＡメッセージをＬＴＥ−ＰＳ１３へ返す（ステップＳ１０７）。
【００４０】
ステップＳ１０８〜ステップＳ１１１においては、図５に示すステップＳ２０５〜ステップＳ２０８での動作と同様に、ＣＳＦＢ処理、ページング応答、着信通知等が行われる。
ステップＳ１１２においては、移動機１０は、ＣＳ着信を許容することを示すCALL COMFIRMEDをＮＷに返し、ステップＳ１１３においては、発信者番号提示部１１４は、発信者番号を着信履歴に追加する。
【００４１】
以上説明したように、移動機１０は、ページング信号に含まれるＣＳの通信サービス種別によりＣＳ呼の着信可否を判定し、着信可と判定された場合にのみＣＳＦＢ処理を行い、着信不可と判定された場合にはＣＳＦＢ処理を行わずにＣＳ着信を拒否する。このため、ＣＳ着信を拒否する場合には、ＣＳＦＢ処理のための多くの信号のやりとりをする必要がなくなる。したがって、移動機１０とＮＷとの無駄な信号のやりとりをせずに、ＣＳ着信を拒否することが可能となり、リソースの浪費を防ぐことができる。また、移動機１０のパケット通信中にＣＳ着信が発生した場合、従来においては着信を拒否する場合にもＣＳＦＢ処理を行うためＣＳＦＢ処理中はパケット通信が中断されてしまうが、ＣＳＦＢ処理を行うことなく着信を拒否することができるため、無駄にパケットの品質を落とすことを防ぐこともできる。また、ＣＳ着信が連続で来るようなケースでは、ＣＳＦＢ処理のためのＮＷとの制御信号のやりとりやLegacy  ＲＡＴへの切替の動作を省いてＣＳ着信を拒否することができるので、移動機１０の電池の消耗量を減らすことができる。
【００４２】
また、ページング信号に発信者番号を含めることで、信号のやりとりを削減してＣＳ着信を拒否しても、発信者番号を移動機１０に送信することができるため、移動機１０のユーザに発信者番号を提示することが可能となる。
なお、上述した実施形態では、ページング信号に発信者番号を含めることで移動機１０のユーザへの発信者番号の提示を可能としたが、これに限らず、ページング信号に発信者番号を含めずに、着信拒否した後にＮＷからＳＭＳで移動機１０に発信者番号を通知したり、着信拒否があったことだけをＮＷから移動機１０に伝えて、後に移動機１０のユーザがＮＷに発信者番号を問い合わせる方法も考えられる。
【００４３】
また、上述した実施形態では、移動機１０がＣＳ着信の可否を判定するとして説明したが、これに限らず、ＮＷを構成するノードが判定するようにしてもよい。また、ＬＴＥに限らず、ＣＳ呼をサポートしない通信ネットワークであって、ＣＳＦＢ処理に相当する処理を行うことによりＣＳ呼のサポートが可能となる通信ネットワークに本発明を適用することができる。
【図面の簡単な説明】
【００４４】
【図１】本発明の実施形態に係る通信システムの全体構成を示す図である。
【図２】同実施形態に係る移動機の機能構成を示すブロック図である。
【図３】同実施形態に係る移動機が利用できない特定のＣＳサービスによるＣＳ着信があった場合に通信システムにおいて行われる着信制御の手順を示すシーケンス図である。
【図４】同実施形態に係る移動機が利用できるＣＳサービスによるＣＳ着信があった場合に通信システムにおいて行われる着信制御の手順を示すシーケンス図である。
【図５】従来の標準仕様に従ったＬＴＥの通信ネットワークにおいて、ＣＳ着信を拒否する場合の手順を示すシーケンス図である。
【符号の説明】
【００４５】
１０    移動機
１１１  着信可否判定部
１１２  ＣＳＦＢ処理部
１１３  着信拒否部
１１４  発信者番号提示部
２０    ｅＮＢ
３０    ＭＭＥ
４０    ＲＮＳ／ＢＳＳ
５０    ＭＳＣ
【図１】
2010154079.tif 000003
【図２】
2010154079.tif 000004
【図３】
2010154079.tif 000005
【図４】
2010154079.tif 000006
【図５】
2010154079.tif 000007